(57)【要約】【課題】隠しタイプのスライダーであって、摺動性がよく、また開き製品の場合は蝶棒の差込操作が円滑に行える。【解決手段】隠しタイプのスライダーは、胴体１の底板１３の両側に側壁１４を立設し、側壁１４の上端を内側へ屈曲してフランジ１５を設け、フランジ１５から側壁１４にかけて、フランジ１５の肩口４３側の先端から下り勾配の斜面に形成してガイド部２２を設け、このガイド部２２を備えたフランジ１５の先端は案内柱１６の側面に対し、直角または後口４４側へ多少傾いて設けることにより、蝶棒の差し込み時にはガイド部２２がファスナーテープ５をスムーズにガイドし、またスライダーの閉鎖方向への摺動の際は軽快に摺動させることができる。【選択図】　図１
2004105570.tif 000002
【特許請求の範囲】
【請求項１】
底板１３の両側に側壁１４を立設し、側壁１４の上端を内側へ屈曲してフランジ１５を設けた隠しタイプのスライダーにおいて、フランジ１５と側壁１４にかけてフランジ１５の肩口４３側の先端から下り勾配の斜面を設けてガイド部２２を形成してなることを特徴とする隠しスライドファスナー用スライダー。
【請求項２】
底板１３の両側に側壁１４を立設し、側壁１４の上端を内側へ屈曲してフランジ１５を設けた隠しタイプのスライダーにおいて、蝶棒１１挿入側のガイド溝１７におけるフランジ１５と側壁１４にかけてフランジ１５の肩口４３側の先端から下り勾配の斜面を設けたガイド部２２を形成してなることを特徴とする開離型の隠しスライドファスナー用スライダー。
【請求項３】
フランジ１５の先端は案内柱１６の側面に対し、直角または後口４４側へ多少傾いて配されてなる請求項１または２記載の隠しスライドファスナー用スライダー。
【請求項４】
フランジ１５における斜面の起点は、引手２の取付軸３５を案内柱１６に軸支した部分を始端として斜面を形成してなる請求項１または２記載の隠しスライドファスナー用スライダー。
【請求項５】
フランジ１５と側壁１４にかけて配設する下り勾配の斜面からなるガイド部２２は、側壁１４の縦断面形状が直線を描く形状に形成してなる請求項１または２記載の隠しスライドファスナー用スライダー。
【請求項６】
フランジ１５と側壁１４にかけて配設する下り勾配の斜面からなるガイド部２２は、側壁１４の縦断面形状が曲線を描く形状に形成してなる請求項１または２記載の隠しスライドファスナー用スライダー。
【請求項７】
フランジ１５の上面に所定間隔をおいて略胴体１の輪郭に等しい覆板３２を案内柱１６に配設してなる請求項１または２記載の隠しスライドファスナー用スライダー。
【発明の詳細な説明】
【０００１】
【発明の属する技術分野】
この発明は、隠しスライドファスナーにおけるスライダーに関し、スライダーは止め製品すなわちファスナーチエンの終端を止具で閉鎖した隠しスライドファスナー、および開き製品すなわちファスナーチエンの終端に開離嵌挿具を備えた開離型隠しスライドファスナーに用いる隠しタイプのスライダーに関するものである。
【０００２】
【従来の技術】
従来の隠しスライドファスナーにおけるスライダーにおいて、図１４に示すように、下板部の両側に側壁部を立設し、この側壁部の上端を内側へ屈曲してファスナーエレメントをガイドする上片部を設け、側壁部の前端部分を傾斜させるとともに、上片部の内側先端を肩口側へ突出させた突部を設けた隠しタイプのスライダーが知られている。（例えば、特許文献１参照。）
【０００３】
また、図１５に示すように基板の両側に側板を立設し、この側板の上端を内側へ屈曲してファスナーエレメントをガイドする上面板を設け、上面板の先端を基板の先端よりも後口側に位置させるとともに、側板の先端部分をコ字状に切欠いて上面板と基板との間に開口を設けた隠しタイプのスライダーが知られている。（例えば、特許文献２参照）。
【０００４】
【特許文献１】
実公昭４６−６５７４号公報（第１，２頁、第１〜４図）
【特許文献２】
実公昭５６−２２７２９号公報（第１，２頁、第１〜４図）
【０００５】
【発明が解決しようとする課題】
前項で述べた特許文献１に開示された隠しタイプのスライダーは、側壁部の上端を内側へ屈曲して設けた上片部の先端が、スライダーの肩口側へ突出する突部を設けているため、スライダーを摺動させるとき、突部がファスナーエレメントに反転状に取り付けられたファスナーテープに摺接し摺動抵抗が大きく軽快な摺動操作ができない。また開き製品に開離型スライダーとして用いた場合、蝶棒をスライダーに挿入する際、ファスナーテープの端部が突部に引っ掛かり、または触突し円滑な差し込み操作が行えないなどの問題点がある。
【０００６】
また、特許文献２に開示された隠しタイプのスライダーも前例と同様に、側板の先端をコ字状に切欠いて開口を設けることによって、上面板の先端がスライダーの肩口側へ突出して突片部分を形成し、この側板から突出する突片部分がスライダーの摺動の際、ファスナーエレメントに反転状に取り付けられたファスナーテープに摺接し、摺動抵抗が大きく軽快な摺動操作ができない。また開離型スライダーとして用いた場合、蝶棒をスライダーに挿入するときファスナーテープの端部が突片部分に引っ掛かり、または触突して円滑な差し込み操作ができないなど問題点がある。
【０００７】
この発明は、上述の問題点を考慮して発明されたものであり、請求項１および２記載の発明は、隠しスライドファスナー用スライダーを止め製品の隠しファスナーチエン、および開き製品のファスナーチエンの双方に用いたとき、それぞれファスナーエレメントに反転状すなわちＵ字状に取り付けられたファスナーテープ間を円滑に摺動でき、かつ開き製品の場合は、ファスナーチエンの端部に取り付けた開離嵌挿具の蝶棒をスライダーへ差し込んだ後、箱体へ差し込むため、蝶棒を取り付けたファスナーテープの端部がスライダーのフランジに邪魔されることなく軽快にスライダーがガイドして挿入できる隠しスライドファスナーのスライダーを提供することが主たる目的である。
【０００８】
請求項３記載の発明は、請求項１または２記載の発明の目的に加え、隠しタイプのスライダーにおける案内柱とフランジ先端との配置関係をスライダーの摺動および蝶棒の差し込み操作を円滑かつ効率よく行える隠しスライドファスナーのスライダーを提供することが目的である。
【０００９】
請求項４記載の発明は、請求項１または２記載の発明の目的に加え、隠しファスナーチエンをスライダーの引手による引っ張り操作によって摺動させるとき、スライダーのフランジがファスナーチエンに与える摺動抵抗を極力小さくし、円滑に摺動を行える隠しスライドファスナーのスライダーを提供することが目的である。
【００１０】
請求項５および６記載の発明は、それぞれ請求項１または２記載の発明の目的に加え、隠しタイプのスライダーによって、開離嵌挿具の蝶棒をスライダーおよび箱体へ差し込むとき、蝶棒を備えたファスナーテープの端部を円滑かつ有効にガイド作業ができる隠しスライドファスナーのスライダーを提供することが目的である。
【００１１】
請求項７記載の発明は、請求項１または２記載の発明の目的に加え、隠しスライドファスナーであるが通常の開き製品のスライドファスナーに酷似させて、顧客が通常の開き製品と同様の開離嵌挿操作が容易に行える形態にスライダーを形成し、また安心して使用できる隠しスライドファスナー用スライダーを提供することが目的である。
【００１２】
【課題を解決するための手段】
前記の目的を達成するため、この発明のうち請求項１記載の発明は、隠しタイプのスライダーが底板１３の両側に側壁１４を立設し、この側壁１４の上端を胴体１の内側へ屈曲してフランジ１５を設け、このフランジ１５と側壁１４とにかけてフランジ１５における胴体１の肩口４３側に位置する先端から下り勾配の斜面を設けることによって、フランジ１５と側壁１４にガイド部２２を形成した隠しスライドファスナーのスライダーを主な構成とするものである。
【００１３】
請求項２記載の発明は、開離型の隠しタイプのスライダーが底板１３の両側に側壁１４を立設し、この側壁１４の上端を胴体１の内側へ屈曲してフランジ１５を設け、少なくとも蝶棒１１挿入側のファスナーエレメント６を挿通するガイド溝１７におけるフランジ１５と側壁１４とにかけて、フランジ１５における胴体１の肩口４３側に位置する先端から下り勾配の斜面を設けることによって、フランジ１５と側壁１４にガイド部２２を形成した開離型の隠しスライドファスナーのスライダーを主な構成とするものである。
【００１４】
請求項３記載の発明は、請求項１または２記載の発明の構成に加え、フランジ１５の肩口４３側の先端は、胴体１における案内柱１６の側面に対し、直角または後口４４側へ多少傾いて配置してフランジ１５を形成した隠しスライドファスナーのスライダーである。
【００１５】
請求項４記載の発明は、請求項１または２記載の発明の構成に加え、フランジ１５におけるガイド部２２の斜面の起点は、胴体１の案内柱１６に取り付けた引手２の取付軸３５を軸支した部分をガイド部２２の始端として斜面を形成した隠しスライドファスナーのスライダーである。
【００１６】
請求項５記載の発明は、請求項１または２記載の発明の構成に加え、フランジ１５と側壁１４とにかけて配設する下り勾配の斜面から形成したガイド部２２は、側壁１４における縦断面形状が直線を描く形状に形成した隠しスライドファスナーのスライダーである。
【００１７】
請求項６記載の発明は、請求項１または２記載の発明の構成に加え、フランジ１５と側壁１４とにかけて配設する下り勾配の斜面から形成したガイド部２２は、側壁１４における縦断面形状が曲線を描く形状に形成した隠しスライドファスナーのスライダーである。
【００１８】
請求項７記載の発明は、請求項１または２記載の発明の構成に加え、隠しタイプのスライダーのフランジ１５の上方にフランジ１５と所定間隔をおいて、略胴体１の平面における輪郭に等しい覆板３７を案内柱１６に配設した隠しスライドファスナーのスライダーである。
【００１９】
【発明の実施の形態】
以下、この発明の隠しスライドファスナー用スライダーの実施の形態について、図面を参照しながら具体的に説明する。
【００２０】
この発明の隠しスライドファスナー用スライダーは、図１に示す第１実施例の隠しタイプのスライダーは、自動停止機構を備え、胴体１は亜鉛合金、アルミニウム合金などの金属をダイカスト成形して形成し、胴体１は底板１３の両側に側壁１４を立設し、この側壁１４の上端を内側へ屈曲することによってフランジ１５を形成し、底板１３の中央には案内柱１６を立設するとともに、この案内柱１６とフランジ１５間および両側のフランジ１５間にファスナーテープ５が挿通できる間隙Ｓを設け、案内柱１６と側壁１４およびフランジ１５に囲繞された部分に、Ｕ字状に折曲したファスナーテープ５の一側縁に取り付けたファスナーエレメント６を挿通しガイドできるガイド溝１７を設ける。
【００２１】
案内柱１６の上部には縦方向に凹状の凹溝部１８を設け、この凹溝部１８に図３に示すように一端に停止爪２５を有するフック状の爪杆２４を遊嵌して中央部分に穿設した軸孔２８に支軸３０を挿通して固定し、爪杆２４を回動可能に形成する。爪杆２４の一端に設けた停止爪２５の基部に凹状の引掛部２６を設けて引手２を連結するトライアングル状のクランパー３４の一端に形成した取付軸３５を嵌挿し、爪杆２４の他端には凹欠状の押圧部２７を設け、案内柱１６における凹溝部１８の下側に円筒の収納孔１９を設けてスプリング３１を収容し、スプリング３１の上端は押圧部２７に圧接して停止爪２５を案内柱１６の後口４４側の先端に延設した突片２０に形成した爪孔２１から進退自在に形成してスライダーの摺動を自動停止させる。
【００２２】
このように形成した隠しタイプのスライダーにおいて、この発明が最も重要視している構成は、底板１３の両側に立設した側壁１４と、側壁１４の上端に屈設したフランジ１５の肩口４３側に、ファスナーテープ５をガイドするガイド部２２を形成する。ガイド部２２は案内柱１６に取り付けたクランパー３４の取付軸３５の近傍、すなわち取付軸３５と支軸３０間に配設するのがよい。ガイド部はフランジ１５から側壁１４にかけて縦断面形状が肩口４３側へ直線状の下り勾配の斜面を形成し、フランジ１５におけるガイド部２２は案内柱１６の側面に対し直角または後口４４側へ多少傾いた形状を呈するように配されている。
【００２３】
この斜面状のガイド部２２は、図４〜７に示すように、ファスナーチエン４の端部に配した開離嵌挿具８における蝶棒１１を箱体９に挿入する際、図４，５に示すようにスライダーの胴体１に形成したガイド溝１７へ一方のファスナーテープ５の端部に固定した補強テープ７の側縁に取り付けた蝶棒１１を挿入すると、ファスナーテープ５の先端はスライダーの側壁１４に設けた斜面のガイド部２２に沿って滑動し、図５に示すようにフランジ１５の先端に設けたガイド部２２へ誘導する。図６に示すように蝶棒１１をガイド溝１７の内部へ進入させると、Ｕ字状のファスナーテープ５の先端はガイド部に沿って誘導され、スライダーに形成されたフランジ１５と案内柱１６間に設けた間隙Ｓへガイドして挿入する。さらに蝶棒１１を内側へ進入させると、Ｕ字状のファスナーテープ５の先端はスライダーに形成された案内柱１６の後口４４側に形成された対向するフランジ１５間に設けた間隙Ｓへガイドされる。
【００２４】
その後さらに蝶棒１１をガイド溝１７の奥へ進入させると、スライダーと当接しファスナーテープ５の端部に取り付けた開離嵌挿具８の箱体９へ進出し、図７に示すように蝶棒１１は箱体８の蝶棒挿入部１２へ挿入し固定される。この状態でスライダーを肩口４３方向へ摺動させることによって、ファスナーチエン４を閉鎖させることができる。
【００２５】
このような一連の操作たとえばファスナーテープに取り付けた蝶棒の箱体への嵌挿操作においては、胴体１の側壁１４とフランジ１５に設けた斜面のガイド部２２には突出部分がないので、ファスナーテープ５の端部をスムーズにガイドし、嵌挿操作を容易に行うことができる。またファスナーチエン４の開閉操作の際は、胴体１における案内柱１６の側方において、ガイド部２２から肩口４３側へ突出する突出部分がないので、スライダーの摺動の際、摩擦抵抗が小さく、軽快な摺動操作ができ、このスライダーは開き製品のみでなく止め製品にも用いることができる。
【００２６】
なお図４に示すように、ファスナーテープ５の端部に取り付けた開離嵌挿具８における箱体９の上面が斜面状に形成してあるのは、スライダーの後口４４を箱体９に当接したとき傾斜状にスライダーを載置することができ、蝶棒１１の差し込み操作が円滑かつ容易にできるように便宜を図ったものである。また案内柱１６の上部に設けた凹溝部１８が偏倚しているのは、装着された爪杆２４の停止爪２５が箱棒１０を取り付けた側のファスナーエレメント６間に確実に挿入できるように形成したものである。
【００２７】
図８〜１０に示す第２実施例の隠しタイプのスライダーは、胴体１４の底板１３の両側に立設した側壁１４と、この側壁１４の上端を内側へ屈曲して設けたフランジ１５とに形成する斜面のガイド部２２の形態が前例とは多少異なる以外は略同一形態である。図８，９に示すようにガイド部２２が始まる起点を引手２を胴体１へクランパー３４によって連結したクランパー３４の取付軸３５を基準としてガイド部２２を設置したものである。
【００２８】
このようにガイド部２２の起点を引手２の取付軸３５を基準に設けることによって、ファスナーチエン４を閉鎖する際、一方のファスナーテープ５に取り付けられた蝶棒１１をスライダーのガイド溝１７に挿入する際、前例と同様に円滑に操作ができる。蝶棒１１を箱体９に差し込んだ後、スライダーを摺動させてファスナーチエン４を閉鎖する際、引手２の引っ張り操作により胴体１の肩口４３側に障害物、たとえばフランジ１５の先端が突出していると、Ｕ字状に折曲したファスナーテープ５の内面を擦過するため、摺動抵抗が大きく重く感じるが、取付軸３５から肩口４３側にフランジ１５が突出していないので、摩擦抵抗が小さく円滑な操作を行うことができる。
【００２９】
図１１はガイド部２２の変形例を示すもので、隠しタイプのスライダーにおいて、胴体１のフランジ１５から側壁１４にかけて形成する斜面のガイド部２２は、胴体１に取り付けた引手２のクランパー３４における取付軸３５の近傍から胴体１の肩口４３へ向けた縦断面形状が下り勾配の斜面のガイド部２２が前例とは異なり、直線でなく曲線たとえばなだらかなＳ字状を呈する斜面に形成し、ガイド部２２の底板１３との接点およびフランジ１５における隅角部をそれぞれ曲面によって形成することにより、ファスナーテープ５との接触を和らげ、円滑な蝶棒１１の差し込み操作およびスライダーの摺動操作が行えるように形成したものである。
【００３０】
図１２，１３に示す第３実施例の隠しタイプのスライダーは、胴体１における下半部分の形態が第１実施例の形態と同一であるが、異なるのは上半部分の形態である。すなわちフランジ１５の上方に所定の間隔をおいて、略胴体１の平面の輪郭に等しい覆板３２を案内柱１６に装着し、通常の開き製品のスライダーに酷似させたことである。
【００３１】
詳述すると、覆板３７における表面の前後に三角状の取付柱３８を斜面が対向するように配設し、この取付柱３８は中央長手方向に間隙部分があり、この間隙部分に、一端に停止爪２５があるヘの字状の爪杆３９を介在させ、爪杆３９の上側へ板スプリング４０を載置して爪杆３９の中央を下方へ付勢させて自動停止機能を具有させ、三角状の取付柱３８間に引手２を連結したクランパー３４の取付軸３５を嵌挿し、引手２を引っ張ると三角状の取付柱３８がカムの働きをし、板スプリング４０に抗して爪杆３９を押し上げ、停止爪２５をファスナーエレメント６間から脱出させ摺動させる。なお板スプリング４０の上方に船底形のカバーを被覆して側面を取付柱３８にかしめ付ける。
【００３２】
この隠しタイプのスライダーも前例と同様な操作を行う。たとえば図１３に示すように、胴体１の肩口４３からＵ字状に折曲したファスナーテープ５に取り付けた蝶棒１１をガイド溝１７へ差し込み、ファスナーテープ５は斜面のガイド部２２にガイドされ、フランジ１５と覆板３２の間で、フランジ１５の側縁に配された間隙Ｓを通り蝶棒１１を箱体９の蝶棒挿入部１２に挿入して固定し、スライダーを摺動させてファスナーチエン４を閉鎖させる。蝶棒１１の差し込みの際、覆板３２が存在するため、通常タイプの開き製品と同様な差し込み操作ができる。
【００３３】
以上説明したとおり、この発明の隠しタイプのスライダーは、開き製品たとえばファスナーチエンの端部に開離嵌挿具を備えた隠しスライドファスナーに使用できる以外に、止め製品たとえばファスナーチエンの端部を下止具によって固定した隠しスライドファスナーにも使用できるスライダーである。
【００３４】
【発明の効果】
この発明の隠しスライドファスナー用スライダーは、以上説明したとおりの構成であり、この構成によって下記の効果を奏するものである。
【００３５】
この発明のうち請求項１および２記載の発明は、底板の両側に側壁を立設し、側壁の上端を内側へ屈曲してフランジを設けた隠しタイプのスライダーにおいて、フランジと側壁にかけてフランジの肩口側の先端から下り勾配の斜面を設けてガイド部を形成し、あるいは蝶棒挿入側のガイド溝におけるフランジと側壁にかけてフランジの肩口側の先端から下り勾配の斜面を設けたガイド部を形成したことにより次の効果がある。
【００３６】
この発明の隠しタイプのスライダーは、止め製品すなわち隠しファスナーチエンの端部を下止具によって固定したスライドファスナー、および開き製品すなわち隠しファスナーチエンの端部に開離嵌挿具を具備したスライドファスナーの双方に用いることができ、隠しタイプのスライダーはファスナーチエンを閉鎖する際、スライダーの引手を閉鎖方向へ引っ張り移動させるとき、フランジと側壁の前面にガイド部があるため円滑に摺動でき、特に従来品のように側壁の前面にフランジが存在しないから摺動抵抗が小さく軽快に摺動できる。
【００３７】
また開き製品の場合は、ファスナーテープに取り付けた蝶棒をスライダーおよび箱体へ挿入する際、Ｕ字状に折曲したファスナーテープがスライダーのフランジにおけるガイド部前面に突出物がないので、差し込み操作を邪魔されず円滑に箱体へ挿入できる効果がある。
【００３８】
請求項３記載の発明は、請求項１または２記載の発明の効果に加え、フランジの先端は案内柱の側面に対し、直角または後口側へ多少傾いて配置されていることによって、フランジのガイド部は側壁側よりも先端の隅角部分がファスナーテープに一番最後に摺接するので、ファスナーテープのガイドが円滑かつ効率よく行える効果がある。
【００３９】
請求項４記載の発明は、請求項１または２記載の発明の効果に加え、フランジにおける斜面の起点は、引手の取付軸を案内柱に軸支した部分を始端として斜面を形成したことによって、スライダーの胴体は、引手を引っ張って摺動させるとき、フランジにおける引手の取付軸の前方に突出物がないので、ファスナーチエンに与える摺動抵抗が小さく、スライダーを円滑に摺動させることができる効果がある。
【００４０】
請求項５および６記載の発明は、それぞれ請求項１または２記載の発明の効果に加え、フランジと側壁にかけて配設する下り勾配の斜面からなるガイド部は、側壁の縦断面形状が直線を描くか、または曲線を描く形状に形成したことによって、ファスナーテープの厚さ材質等を加味して最適なガイド部を具備したスライダーに形成できる効果がある。
【００４１】
請求項７記載の発明は、請求項１または２記載の発明の効果に加え、フランジの上面に所定間隔をおいて略胴体の輪郭に等しい覆板を案内柱に配設したことによって，通常の開き製品のスライドファスナーに似せて、開離嵌挿操作、摺動操作を通常のスライドファスナーとして取り扱うことができる効果があるなど、この発明が奏する効果はきわめて顕著である。
【図面の簡単な説明】
【図１】第１実施例の隠しタイプのスライダーの斜視図である。
【図２】同上スライダーの側面図である。
【図３】同上スライダーの縦断面図である。
【図４】同上スライダーを備えた開離嵌挿具付ファスナーチエンの正面図である。
【図５】同上スライダーを備えた開離嵌挿具付ファスナーチエンの図４における側面図である。
【図６】同上スライダーを備えた開離嵌挿具付ファスナーチエンにおける蝶棒のスライダーへの挿入態様を示す側面図である。
【図７】同上スライダーを備えた開離嵌挿具付ファスナーチエンにおける蝶棒の箱体への挿入態様を示す側面図である。
【図８】第２実施例の隠しタイプのスライダーの正面図である。
【図９】同上スライダーの側面図である。
【図１０】図８におけるＡ−Ａ断面図である。
【図１１】サイド部の変形例を示す隠しタイプのスライダーの側面図である。
【図１２】第３実施例の隠しタイプのスライダーの正面図である。
【図１３】同上スライダーの側面図である。
【図１４】公知の隠しタイプのスライダーの正面図である。
【図１５】他の公知の隠しタイプのスライダーの斜視図である。
【符号の説明】
１　　　　　　胴体
２　　　　　　引手
１１　　　　　　蝶棒
１３　　　　　　底板
１４　　　　　　側壁
１５　　　　　　フランジ
１６　　　　　　案内柱
１７　　　　　　ガイド溝
２２　　　　　　ガイド部
３２　　　　　　覆板
３５　　　　　　取付軸
４３　　　　　　肩口
４４　　　　　　後口
【図１】
2004105570.tif 000003
【図２】
2004105570.tif 000004
【図３】
2004105570.tif 000005
【図４】
2004105570.tif 000006
【図５】
2004105570.tif 000007
【図６】
2004105570.tif 000008
【図７】
2004105570.tif 000009
【図８】
2004105570.tif 000010
【図９】
2004105570.tif 000011
【図１０】
2004105570.tif 000012
【図１１】
2004105570.tif 000013
【図１２】
2004105570.tif 000014
【図１３】
2004105570.tif 000015
【図１４】
2004105570.tif 000016
【図１５】
2004105570.tif 000017